(57)【特許請求の範囲】
【請求項１】
コンテンツを生成するコンテンツ生成部と、
前記コンテンツが生成された際に前記コンテンツが生成された位置を特定するための位置情報を取得する位置情報取得部と、
前記取得された位置情報により特定される位置が所定領域に含まれるか否かを判定する領域判定部と、
前記生成されたコンテンツを記録する際に前記取得された位置情報を関連付けて記録させるか否かを前記領域判定部による判定結果に基づいて判定する位置情報付与判定部と、
前記生成されたコンテンツへの前記取得された位置情報の記録制御を前記位置情報付与判定部による判定結果に基づいて行う記録制御部と
を具備する情報記録装置。
【請求項２】
前記取得された位置情報により特定される位置が前記所定領域に含まれる場合に前記取得された位置情報を前記生成されたコンテンツに関連付けて記録させるか否かを判定する位置情報付与条件を記憶する位置情報付与条件記憶部をさらに具備し、
前記位置情報付与判定部は、前記領域判定部による判定結果と前記位置情報付与条件記憶部に記憶されている位置情報付与条件とに基づいて前記生成されたコンテンツを記録する際に前記取得された位置情報を関連付けて記録させるか否かを判定する
請求項１記載の情報記録装置。
【請求項３】
前記位置情報付与条件記憶部は、前記生成されたコンテンツを記録する際における記録パラメータを前記位置情報付与条件として複数記憶し、
前記位置情報付与条件記憶部に記憶されている複数の記録パラメータのうちから少なくとも１つの記録パラメータを指定する指定操作を受け付ける操作受付部をさらに具備し、
前記位置情報付与判定部は、前記領域判定部による判定結果と前記指定された記録パラメータとに基づいて前記生成されたコンテンツを記録する際に前記取得された位置情報を関連付けて記録させるか否かを判定し、
前記記録制御部は、前記位置情報付与判定部による判定結果に基づいて前記生成されたコンテンツへの前記取得された位置情報の記録制御を行うとともに前記生成されたコンテンツを前記指定された記録パラメータに従って記録させる
請求項２記載の情報記録装置。
【請求項４】
前記生成されたコンテンツを記録する際における複数の記録パラメータを記憶する記録パラメータ記憶部をさらに具備し、
前記位置情報付与判定部は、前記領域判定部による判定結果と前記複数の記録パラメータとに基づいて前記生成されたコンテンツを記録する際に前記取得された位置情報を関連付けて記録させるか否かを記録パラメータ毎に判定し、
前記記録制御部は、前記位置情報付与判定部による判定結果に基づいて前記生成されたコンテンツへの前記取得された位置情報の記録制御を前記複数の記録パラメータ毎に順次行うとともに前記生成されたコンテンツを前記複数の記録パラメータに従って記録パラメータ毎に順次記録させる
請求項１記載の情報記録装置。
【請求項５】
前記記録パラメータ記憶部は、前記生成されたコンテンツを記録する際における記録パラメータの組合せを複数記憶し、
前記記録パラメータ記憶部に記憶されている複数の組合せのうちから少なくとも１つの組合せを指定する指定操作を受け付ける操作受付部をさらに具備し、
前記位置情報付与判定部は、前記領域判定部による判定結果と前記指定された組合せに係る複数の記録パラメータとに基づいて前記生成されたコンテンツを記録する際に前記取得された位置情報を関連付けて記録させるか否かを前記指定された組合せに係る記録パラメータ毎に判定し、
前記記録制御部は、前記位置情報付与判定部による判定結果に基づいて前記生成されたコンテンツへの前記取得された位置情報の記録制御を前記指定された組合せに係る記録パラメータ毎に順次行うとともに前記生成されたコンテンツを前記指定された組合せに係る複数の記録パラメータに従って記録パラメータ毎に順次記録させる
請求項４記載の情報記録装置。
【請求項６】
前記位置情報付与判定部は、前記取得された位置情報により特定される位置が前記所定領域に含まれる場合には前記取得された位置情報を前記生成されたコンテンツに関連付けずに当該コンテンツを記録させると判定し、前記取得された位置情報により特定される位置が前記所定領域に含まれない場合には前記取得された位置情報を前記生成されたコンテンツに関連付けて当該コンテンツを記録させると判定する請求項１記載の情報記録装置。
【請求項７】
前記所定領域は、個人情報に関する位置を含む領域である請求項１記載の情報記録装置。
【請求項８】
地図上における領域を前記所定領域として指定する指定操作を受け付ける操作受付部をさらに具備する請求項１記載の情報記録装置。
【請求項９】
被写体を撮像して撮像画像を生成する撮像部と、
前記撮像画像が生成された際に前記撮像画像が生成された位置を特定するための位置情報を取得する位置情報取得部と、
前記取得された位置情報により特定される位置が所定領域に含まれるか否かを判定する領域判定部と、
前記生成された撮像画像を記録する際に前記取得された位置情報を関連付けて記録させるか否かを前記領域判定部による判定結果に基づいて判定する位置情報付与判定部と、
前記生成された撮像画像への前記取得された位置情報の記録制御を前記位置情報付与判定部による判定結果に基づいて行う記録制御部と
を具備する撮像装置。
【請求項１０】
コンテンツを生成するコンテンツ生成手順と、
前記コンテンツが生成された際に前記コンテンツが生成された位置を特定するための位置情報を取得する位置情報取得手順と、
前記取得された位置情報により特定される位置が所定領域に含まれるか否かを判定する領域判定手順と、
前記生成されたコンテンツを記録する際に前記取得された位置情報を関連付けて記録させるか否かを前記領域判定手順における判定結果に基づいて判定する位置情報付与判定手順と、
前記生成されたコンテンツへの前記取得された位置情報の記録制御を前記位置情報付与判定手順における判定結果に基づいて行う記録制御手順と
を具備する情報記録方法。
【請求項１１】
コンテンツを生成するコンテンツ生成手順と、
前記コンテンツが生成された際に前記コンテンツが生成された位置を特定するための位置情報を取得する位置情報取得手順と、
前記取得された位置情報により特定される位置が所定領域に含まれるか否かを判定する領域判定手順と、
前記生成されたコンテンツを記録する際に前記取得された位置情報を関連付けて記録させるか否かを前記領域判定手順における判定結果に基づいて判定する位置情報付与判定手順と、
前記生成されたコンテンツへの前記取得された位置情報の記録制御を前記位置情報付与判定手順における判定結果に基づいて行う記録制御手順と
をコンピュータに実行させるプログラム。
【発明の詳細な説明】
【技術分野】
【０００１】
本発明は、情報記録装置に関し、特に、コンテンツに位置情報を関連付けて記録することが可能な情報記録装置、撮像装置、および、これらにおける情報記録方法ならびに当該方法をコンピュータに実行させるプログラムに関する。
【背景技術】
【０００２】
従来、コンテンツを記録する情報記録装置として、例えば、人物等の被写体を撮像して撮像画像を記録するデジタルスチルカメラ等の撮像装置が存在する。また、撮像装置により記録された撮像画像を、インターネット等のネットワークや記録媒体を用いて、撮影者以外の他人に渡すことが広く行われている。さらに、撮像装置により記録された撮像画像を、インターネット上のＷｅｂサイト等を利用して公開することも広く行われている。
【０００３】
また、近年では、ＧＰＳ（Global Positioning System）を用いて位置情報を取得し、この位置情報を撮像画像に付加して記録するデジタルスチルカメラが提案されている（例えば、特許文献１参照。）。このように撮像画像に位置情報を付加することにより、この撮像画像を取得したユーザが、この撮像画像の撮影が行われた場所を知ることができる。
【０００４】
例えば、上述の従来技術を用いてユーザの自宅で撮影が行われた場合には、そのユーザの自宅の住所等の個人情報が位置情報として撮像画像に付加されることがある。ここで、自宅の住所等の個人情報は、ユーザの知り合い以外の人にはあまり知られたくない情報である。しかしながら、個人情報が位置情報として付加された撮像画像がＷｅｂサイト等を利用して公開された場合には、その撮像画像に付加された位置情報を第三者が知ることができる状態となる。
【０００５】
そこで、他人には知られたくない個人情報が付加されている画像ファイルを外部装置に送信する際に、その個人情報をユーザ操作により削除してから画像ファイルを送信するコンテンツデータ処理装置が提案されている（例えば、特許文献２参照。）。
【特許文献１】特開２０００−２６１７０４号公報（図１）
【特許文献２】特開２００７−８８７５４号公報（図１）
【発明の開示】
【発明が解決しようとする課題】
【０００６】
上述の従来技術によれば、例えば、他人には知られたくない位置情報が付加された撮像画像をＷｅｂサイト等を利用して公開する場合に、その位置情報をユーザ操作により削除してから公開することができる。このため、その撮像画像に付加された位置情報が他人に知られることを防止することができる。
【０００７】
しかしながら、上述の従来技術では、撮像画像に付加された位置情報を削除するか否かを、撮像画像を送信する度にユーザが個々に判断するとともに削除操作を行う必要がある。このため、これらの削除の要否に係る判断および削除操作が煩雑であるという問題がある。また、送信の際に削除操作を忘れた場合には、ユーザの知り合い以外の人に知られたくない位置情報が付加された撮像画像を公開してしまうおそれもある。
【０００８】
そこで、本発明は、コンテンツを利用する際に個人情報に関する位置情報が他人に知られることを防止することを目的とする。
【課題を解決するための手段】
【０００９】
本発明は、上記課題を解決するためになされたものであり、その第１の側面は、コンテンツを生成するコンテンツ生成部と、上記コンテンツが生成された際に上記コンテンツが生成された位置を特定するための位置情報を取得する位置情報取得部と、上記取得された位置情報により特定される位置が所定領域に含まれるか否かを判定する領域判定部と、上記生成されたコンテンツを記録する際に上記取得された位置情報を関連付けて記録させるか否かを上記領域判定部による判定結果に基づいて判定する位置情報付与判定部と、上記生成されたコンテンツへの上記取得された位置情報の記録制御を上記位置情報付与判定部による判定結果に基づいて行う記録制御部とを具備する情報記録装置およびこれにおける情報記録方法ならびに当該方法をコンピュータに実行させるプログラムである。これにより、コンテンツが生成された際に取得された位置情報により特定される位置が所定領域に含まれるか否かを判定し、この判定結果に基づいて、コンテンツを記録する際に位置情報を関連付けて記録させるか否かを判定し、この判定結果に基づいて、コンテンツへの位置情報の記録制御を行うという作用をもたらす。
【００１０】
また、この第１の側面において、上記取得された位置情報により特定される位置が上記所定領域に含まれる場合に上記取得された位置情報を上記生成されたコンテンツに関連付けて記録させるか否かを判定する位置情報付与条件を記憶する位置情報付与条件記憶部をさらに具備し、上記位置情報付与判定部は、上記領域判定部による判定結果と上記位置情報付与条件記憶部に記憶されている位置情報付与条件とに基づいて上記生成されたコンテンツを記録する際に上記取得された位置情報を関連付けて記録させるか否かを判定するようにしてもよい。これにより、領域判定部による判定結果と、位置情報付与条件とに基づいて、コンテンツを記録する際に位置情報を関連付けて記録させるか否かを判定するという作用をもたらす。
【００１１】
また、この第１の側面において、上記位置情報付与条件記憶部は、上記生成されたコンテンツを記録する際における記録パラメータを上記位置情報付与条件として複数記憶し、上記位置情報付与条件記憶部に記憶されている複数の記録パラメータのうちから少なくとも１つの記録パラメータを指定する指定操作を受け付ける操作受付部をさらに具備し、上記位置情報付与判定部は、上記領域判定部による判定結果と上記指定された記録パラメータとに基づいて上記生成されたコンテンツを記録する際に上記取得された位置情報を関連付けて記録させるか否かを判定し、上記記録制御部は、上記位置情報付与判定部による判定結果に基づいて上記生成されたコンテンツへの上記取得された位置情報の記録制御を行うとともに上記生成されたコンテンツを上記指定された記録パラメータに従って記録させるようにしてもよい。これにより、領域判定部による判定結果と、指定された記録パラメータとに基づいて、コンテンツを記録する際に位置情報を関連付けて記録させるか否かを判定し、この判定結果に基づいて、コンテンツへの位置情報の記録制御を行うとともに、指定された記録パラメータに従ってコンテンツを記録させるという作用をもたらす。
【００１２】
また、この第１の側面において、上記生成されたコンテンツを記録する際における複数の記録パラメータを記憶する記録パラメータ記憶部をさらに具備し、上記位置情報付与判定部は、上記領域判定部による判定結果と上記複数の記録パラメータとに基づいて上記生成されたコンテンツを記録する際に上記取得された位置情報を関連付けて記録させるか否かを記録パラメータ毎に判定し、上記記録制御部は、上記位置情報付与判定部による判定結果に基づいて上記生成されたコンテンツへの上記取得された位置情報の記録制御を上記複数の記録パラメータ毎に順次行うとともに上記生成されたコンテンツを上記複数の記録パラメータに従って記録パラメータ毎に順次記録させるようにしてもよい。これにより、領域判定部による判定結果と、複数の記録パラメータとに基づいて、コンテンツを記録する際に位置情報を関連付けて記録させるか否かを記録パラメータ毎に判定し、この判定結果に基づいて、コンテンツへの位置情報の記録制御を記録パラメータ毎に順次行うとともに、複数の記録パラメータに従って記録パラメータ毎にコンテンツを順次記録させるという作用をもたらす。
【００１３】
また、この第１の側面において、上記記録パラメータ記憶部は、上記生成されたコンテンツを記録する際における記録パラメータの組合せを複数記憶し、上記記録パラメータ記憶部に記憶されている複数の組合せのうちから少なくとも１つの組合せを指定する指定操作を受け付ける操作受付部をさらに具備し、上記位置情報付与判定部は、上記領域判定部による判定結果と上記指定された組合せに係る複数の記録パラメータとに基づいて上記生成されたコンテンツを記録する際に上記取得された位置情報を関連付けて記録させるか否かを上記指定された組合せに係る記録パラメータ毎に判定し、上記記録制御部は、上記位置情報付与判定部による判定結果に基づいて上記生成されたコンテンツへの上記取得された位置情報の記録制御を上記指定された組合せに係る記録パラメータ毎に順次行うとともに上記生成されたコンテンツを上記指定された組合せに係る複数の記録パラメータに従って記録パラメータ毎に順次記録させるようにしてもよい。これにより、領域判定部による判定結果と、指定された組合せに係る複数の記録パラメータとに基づいて、コンテンツを記録する際に位置情報を関連付けて記録させるか否かを、その組合せに係る記録パラメータ毎に判定し、この判定結果に基づいて、コンテンツへの位置情報の記録制御を、その組合せに係る記録パラメータ毎に順次行うとともに、その組合せに係る複数の記録パラメータに従って記録パラメータ毎にコンテンツを順次記録させるという作用をもたらす。
【００１４】
また、この第１の側面において、上記位置情報付与判定部は、上記取得された位置情報により特定される位置が上記所定領域に含まれる場合には上記取得された位置情報を上記生成されたコンテンツに関連付けずに当該コンテンツを記録させると判定し、上記取得された位置情報により特定される位置が上記所定領域に含まれない場合には上記取得された位置情報を上記生成されたコンテンツに関連付けて当該コンテンツを記録させると判定するようにしてもよい。これにより、取得された位置情報により特定される位置が所定領域に含まれる場合には、その位置情報をコンテンツに関連付けないと判定し、取得された位置情報により特定される位置が所定領域に含まれない場合には、その位置情報をコンテンツに関連付けると判定するという作用をもたらす。
【００１５】
また、この第１の側面において、上記所定領域を、個人情報に関する位置を含む領域とするようにしてもよい。これにより、コンテンツが生成された際に取得された位置情報により特定される位置が、個人情報に関する位置を含む領域に含まれるか否かを判定するという作用をもたらす。
【００１６】
また、この第１の側面において、地図上における領域を上記所定領域として指定する指定操作を受け付ける操作受付部をさらに具備するようにしてもよい。これにより、地図上における領域を、所定領域として指定するという作用をもたらす。
【００１７】
また、本発明の第２の側面は、被写体を撮像して撮像画像を生成する撮像部と、上記撮像画像が生成された際に上記撮像画像が生成された位置を特定するための位置情報を取得する位置情報取得部と、上記取得された位置情報により特定される位置が所定領域に含まれるか否かを判定する領域判定部と、上記生成された撮像画像を記録する際に上記取得された位置情報を関連付けて記録させるか否かを上記領域判定部による判定結果に基づいて判定する位置情報付与判定部と、上記生成された撮像画像への上記取得された位置情報の記録制御を上記位置情報付与判定部による判定結果に基づいて行う記録制御部とを具備する撮像装置およびこれにおける情報記録方法ならびに当該方法をコンピュータに実行させるプログラムである。これにより、撮像画像が生成された際に取得された位置情報により特定される位置が所定領域に含まれるか否かを判定し、この判定結果に基づいて、撮像画像を記録する際に位置情報を関連付けて記録させるか否かを判定し、この判定結果に基づいて、撮像画像への位置情報の記録制御を行うという作用をもたらす。
【発明の効果】
【００１８】
本発明によれば、コンテンツを利用する際に個人情報に関する位置情報が他人に知られることを防止することができるという優れた効果を奏し得る。
【発明を実施するための最良の形態】
【００１９】
次に本発明の実施の形態について図面を参照して詳細に説明する。
【００２０】
図１は、本発明の実施の形態における撮像装置１００の内部構成例を示すブロック図である。撮像装置１００は、ＣＰＵ（Central Processing Unit）１１０と、ＲＯＭ（Read Only Memory）１２０と、ＲＡＭ（Random Access Memory）１３０と、カメラ部１４０と、操作受付部１５０と、表示部１６０と、記憶部１７０と、ＧＰＳ（Global Positioning System）信号処理部１８０と、バス１９０とを備える。撮像装置１００は、例えば、位置情報を取得し、この位置情報を撮像画像に関連付けて記録することが可能なデジタルスチルカメラによって実現することができる。
【００２１】
ＣＰＵ１１０は、ＲＯＭ１２０に記憶されている各種制御プログラムに基づいて、撮像装置１００の各部を制御するものである。また、ＣＰＵ１１０は、操作受付部１５０により受け付けられた操作入力等に基づいて撮像装置１００の各部を制御する。なお、ＣＰＵ１００により行われる制御については、図２を参照して詳細に説明する。
【００２２】
ＲＯＭ１２０は、読み出し専用のメモリであり、各種制御プログラム等を記憶するものである。
【００２３】
ＲＡＭ１３０は、ＣＰＵ１１０のメインメモリ（主記憶装置）に用いられるメモリであり、ＣＰＵ１１０において実行されるプログラムの作業領域等を備える。
【００２４】
カメラ部１４０は、被写体を撮像して撮像画像を生成するものであり、光学系１４１と、撮像素子１４２と、Ａ／Ｄ（Analog/Digital）変換部１４３と、信号処理部１４４とを備える。
【００２５】
光学系１４１は、被写体からの光を集光する複数のレンズ（ズームレンズ、フォーカスレンズ（図示せず）等）から構成され、入射された被写体からの光がこれらのレンズおよびアイリス（図示せず）を介して撮像素子１４２に供給される。
【００２６】
撮像素子１４２は、ＣＰＵ１１０の制御に基づいて、光学系１４１を介して入射された被写体からの光信号をアナログの画像信号に光電変換し、この光電変換されたアナログの画像信号をＡ／Ｄ変換部１４３に出力するものである。撮像素子１４２として、例えば、ＣＣＤ（Charge Coupled Device）センサやＣＭＯＳ（Complementary Metal Oxide Semiconductor）センサ等の撮像素子を用いることができる。
【００２７】
Ａ／Ｄ変換部１４３は、ＣＰＵ１１０の制御に基づいて、撮像素子１４２から供給されたアナログの画像信号についてノイズ除去等のアナログ信号処理を施して、このアナログ信号処理が施された画像信号をＡ／Ｄ変換するものである。そして、このＡ／Ｄ変換により得られるデジタル信号である画像データが信号処理部１４４に供給される。
【００２８】
信号処理部１４４は、ＣＰＵ１１０の制御に基づいて、Ａ／Ｄ変換部１４３から供給された画像データについて輪郭強調、ガンマ補正、フリッカ除去等のデジタル信号処理を施すものである。そして、このデジタル信号処理が施された画像データが撮像画像として表示部１６０等に供給される。また、この撮像画像が記憶部１７０に記録される。
【００２９】
操作受付部１５０は、ユーザによって操作された操作内容を受け付ける操作受付部であり、受け付けられた操作内容に応じた信号をＣＰＵ１１０に出力する。例えば、撮像画像の記録が可能な状態である撮影モードにおいて、撮像画像の記録動作を開始するためのシャッターボタン１５１（図４等に示す）等の操作部材が撮像装置１００に備えられている。ここで、撮像装置１００は、画像ファイルに位置情報を記録しない撮影モードである通常撮影モードと、一定条件で画像ファイルに位置情報を記録する撮影モードである位置情報付与撮影モードとを操作受付部１５０からの操作入力に応じて設定することができる。なお、以下では、撮像装置１００が位置情報付与撮影モードに設定されている場合を例にして説明する。なお、本発明の実施の形態では、操作受付部１５０の一部と表示部１６０とを液晶パネル３００（図４等に示す）として一体で構成する例について説明する。ここで、液晶パネル３００は、指等で触った領域を選択することができる選択ボタン等を表示するタッチパネルで構成されている。
【００３０】
表示部１６０は、ＣＰＵ１１０の制御に基づいて各種情報を表示する表示部である。例えば、撮影モードにおいて、表示部１６０には、カメラ部１４０により生成された撮像画像が順次表示される。表示部１６０としては、例えば、ＬＣＤ（Liquid Crystal Display）等のディスプレイを用いることができる。
【００３１】
記憶部１７０は、ＣＰＵ１１０の制御に基づいて、カメラ部１４０により生成された撮像画像を記憶する記憶部である。ここで、記憶部１７０には、例えば、ＪＰＥＧ（Joint Photographic Experts Group）形式の画像ファイル等の各種データが記録される。また、記憶部１７０として、例えば、メモリカード、光ディスク、磁気ディスク、磁気テープ等の記録媒体を用いることができ、この記録媒体を、撮像装置１００に内蔵するようにしてもよく、撮像装置１００から着脱可能とするようにしてもよい。
【００３２】
ＧＰＳ信号処理部１８０は、ＧＰＳ信号受信アンテナ（図示せず）により受信されたＧＰＳ信号に基づいて位置情報を算出するものであり、算出された位置情報をＣＰＵ１１０に出力する。なお、この算出された位置情報には、緯度、経度、高度等の位置に関する各データが含まれる。
【００３３】
図２は、本発明の実施の形態における撮像装置１００の機能構成例を示すブロック図である。撮像装置１００は、位置情報付与禁止領域記憶部２１０と、位置情報取得部２２０と、位置情報付与禁止領域判定部２３０と、位置情報付与判定部２４０と、撮像部２５０と、シャッター操作受付部２６０と、記録制御部２７０と、画像記憶部２８０とを備える。
【００３４】
位置情報付与禁止領域記憶部２１０は、ユーザにより設定された位置情報付与禁止領域を記憶するものであり、記憶されている位置情報付与禁止領域を位置情報付与禁止領域判定部２３０に供給する。ここで、位置情報付与禁止領域は、例えば、個人のプライバシーや個人情報に関する領域であり、ユーザの知り合い以外の人に知られたくない位置（住所、地名等）を含む領域である。この位置情報付与禁止領域として、例えば、自宅、勤務先、通勤・通学経路、保育園、幼稚園、小学校、中学校、高校、大学等の子供の学校、交際相手の家、実家等を含む領域が挙げられる。また、位置情報は、住所や地名等の位置を特定する情報や位置に基づいて生成される間接的なデータを含むものである。なお、位置情報付与禁止領域記憶部２１０は、図１に示すＲＡＭ１３０に対応する。また、位置情報付与禁止領域記憶部２１０に記憶されている内容については、図３を参照して詳細に説明する。
【００３５】
位置情報取得部２２０は、ＧＰＳ信号に基づいて位置情報を算出するものであり、算出された位置情報を位置情報付与禁止領域判定部２３０に供給する。なお、位置情報取得部２２０は、図１に示すＧＰＳ信号処理部１８０に対応する。
【００３６】
位置情報付与禁止領域判定部２３０は、位置情報取得部２２０から出力された位置情報により特定される位置が、位置情報付与禁止領域記憶部２１０に記憶されている位置情報付与禁止領域のうちの少なくとも１つに含まれるか否かを判定するものである。そして、判定結果を位置情報付与判定部２４０に順次出力する。なお、位置情報付与禁止領域判定部２３０は、図１に示すＣＰＵ１１０に対応する。また、位置情報付与禁止領域判定部２３０は、特許請求の範囲に記載の領域判定部の一例である。
【００３７】
位置情報付与判定部２４０は、位置情報付与禁止領域判定部２３０から出力された判定結果に基づいて、撮像部２５０により生成される撮像画像に、位置情報取得部２２０から出力された位置情報を関連付けて記録するか否かを判定するものである。そして、判定結果を記録制御部２７０に順次出力する。具体的には、位置情報取得部２２０から出力された位置情報により特定される位置（現在位置）が、位置情報付与禁止領域記憶部２１０に記憶されている位置情報付与禁止領域の何れの領域にも含まれない場合には、位置情報を関連付けて撮像画像を記録すると判定される。一方、現在位置が位置情報付与禁止領域の何れかの領域に含まれる場合には、位置情報を関連付けずに撮像画像を記録すると判定される。なお、位置情報付与判定部２４０は、図１に示すＣＰＵ１１０に対応する。
【００３８】
撮像部２５０は、所定の撮像パラメータに従って、被写体からの入射光を変換して撮像画像を生成するものであり、生成された撮像画像を記録制御部２７０に出力する。なお、撮像部２５０は、図１に示すカメラ部１４０に対応する。また、撮像部２５０は、特許請求の範囲に記載のコンテンツ生成部および撮像部の一例である。
【００３９】
シャッター操作受付部２６０は、ユーザにより行われるシャッター操作を受け付ける操作受付部であり、撮像画像の記録指示を記録制御部２７０に出力する。すなわち、静止画を記録するためのシャッターボタン１５１（図４等に示す）が押下された場合には、この押下の際に撮像部２５０により生成された撮像画像が画像ファイルとして画像記憶部２８０に記録される。なお、シャッター操作受付部２６０は、図１に示す操作受付部１５０に対応する。
【００４０】
記録制御部２７０は、シャッター操作受付部２６０から記録指示が出力された際に撮像部２５０から出力された撮像画像の画像ファイルを生成し、この画像ファイルを画像記憶部２８０に記録する制御を行うものである。また、記録制御部２７０は、画像ファイルを生成する際に、位置情報付与判定部２４０から出力された判定結果に基づいて、位置情報取得部２２０から出力された位置情報を画像ファイルに記録するか否かの制御を行う。具体的には、位置情報付与判定部２４０から出力された判定結果が、位置情報を関連付けて撮像画像を記録する旨の判定結果である場合には、撮像画像の画像ファイルに位置情報が記録される。一方、位置情報付与判定部２４０から出力された判定結果が、位置情報を関連付けずに撮像画像を記録する旨の判定結果である場合には、撮像画像の画像ファイルに位置情報が記録されない。なお、記録制御部２７０は、図１に示すＣＰＵ１１０に対応する。
【００４１】
画像記憶部２８０は、記録制御部２７０により生成された画像ファイルを記憶するものである。なお、画像記憶部２８０は、図１に示す記憶部１７０に対応する。
【００４２】
図３は、本発明の実施の形態における位置情報付与禁止領域記憶部２１０に記憶されている内容を概略的に示す図である。位置情報付与禁止領域記憶部２１０には、管理番号２１１と、位置情報付与禁止領域中心位置２１２と、位置情報付与禁止領域半径２１３とが記憶されている。なお、図３に示す例では、円により特定される領域が位置情報付与禁止領域として設定されている場合を想定して説明する。
【００４３】
管理番号２１１は、ユーザにより設定された位置情報付与禁止領域のそれぞれに付与される識別番号であり、例えば、設定された順次に従って管理番号１、２、３…が格納される。
【００４４】
位置情報付与禁止領域中心位置２１２は、ユーザにより設定された位置情報付与禁止領域の中心位置を示すデータであり、例えば、管理番号２１１の番号に関連付けて、位置情報付与禁止領域の中心位置に対応する緯度および経度が格納される。
【００４５】
位置情報付与禁止領域半径２１３は、ユーザにより設定された位置情報付与禁止領域の半径を示すデータであり、例えば、管理番号２１１の番号に関連付けて、単位をメートル（ｍ）とする値が格納される。なお、これらの位置情報付与禁止領域の設定については、図４を参照して詳細に説明する。
【００４６】
図４は、本発明の実施の形態における液晶パネル３００において位置情報付与禁止領域を設定する設定方法の概略を示す図である。液晶パネル３００において位置情報付与禁止領域を設定する場合には、例えば、液晶パネル３００に表示されるメニュー画面（図示せず）において、位置情報付与禁止領域を設定するための位置情報付与禁止領域設定画面を表示させる指示操作を行う。この指示操作の際には、位置情報付与禁止領域を設定すべき地域を指定する指定操作が行われる。例えば、図４に示すように、ユーザの自宅３１１および会社３１３、子供の学校３１２のそれぞれを位置情報付与禁止領域に設定する場合には、自宅３１１、学校３１２および会社３１３が存在する地域に相当する地図を含む位置情報付与禁止領域設定画面を液晶パネル３００に表示させる操作入力が行われる。なお、この位置情報付与禁止領域設定画面に含まれる地図を表示させるための地図情報については、例えば、ＲＡＭ１３０に記憶させておき、ユーザからの指定操作に応じてＲＡＭ１３０から取得することができる。また、撮像装置１００以外の地図情報記憶装置に地図情報を記憶させておき、インターネット等のネットワークを介してその地図情報記憶装置から地図情報を取得するようにしてもよい。また、位置情報付与禁止領域を設定する場合には、撮像装置１００以外の他の装置（パーソナルコンピュータ等）において位置情報付与禁止領域を設定し、この設定内容を撮像装置１００に転送して記憶させるようにしてもよい。
【００４７】
位置情報付与禁止領域設定画面には、ユーザにより指定された地域の地図が表示されるとともに、この地図上に「新規」ボタン３０１と、「削除」ボタン３０２と、「確定」ボタン３０３とが表示される。「新規」ボタン３０１は、位置情報付与禁止領域を新たに追加する場合に押下されるボタンである。「削除」ボタン３０２は、既に記憶されている位置情報付与禁止領域を削除する場合に押下されるボタンである。「確定」ボタン３０３は、現在表示されている地図上において行われた位置情報付与禁止領域の追加または削除の操作を確定させる場合に押下されるボタンである。
【００４８】
ここで、図４に示す位置情報付与禁止領域設定画面において自宅３１１を位置情報付与禁止領域に設定する場合について説明する。最初に、地図上に表示されている「新規」ボタン３０１をユーザが押下し、自宅３１１を含む円形状の領域を位置情報付与禁止領域としてユーザが指定する。この指定方法として、例えば、指定すべき領域に相当する円をユーザが指で液晶パネル３００上に書くことにより位置情報付与禁止領域を指定する指定方法を用いることができる。また、指定すべき領域の液晶パネル３００上の中心位置をユーザが指で押下し、この押下の回数に応じて位置情報付与禁止領域を順次拡大させていくことにより位置情報付与禁止領域を指定する指定方法を用いることができる。また、位置情報付与禁止領域の直径となる液晶パネル３００上の２点をユーザが指で押下し、この２点により特定される円の領域を位置情報付与禁止領域として指定する指定方法を用いることができる。このように指定された位置情報付与禁止領域を、例えば、位置情報付与禁止領域３２１乃至３２３として点線で示す。また、このように指定された位置情報付与禁止領域の中心位置および半径が、位置情報付与禁止領域記憶部２１０に記憶される。
【００４９】
ここで、位置情報付与禁止領域記憶部２１０に記憶されている位置情報付与禁止領域を削除する場合には、地図上に表示されている「削除」ボタン３０２をユーザが押下し、削除すべき位置情報付与禁止領域をユーザが指定する。この指定方法として、例えば、削除すべき位置情報付与禁止領域内の何れかの部分をユーザが指で触れることにより指定する指定方法を用いることができる。また、これらの新規追加操作または削除操作が終了した場合には、ユーザが「確定」ボタン３０３を押下することにより、新規追加操作または削除操作を確定させることができる。
【００５０】
なお、位置情報付与禁止領域の指定方法として、例えば、住所の入力によって地図上の座標位置を指定し、この座標位置を用いて位置情報付与禁止領域を指定するようにしてもよい。
【００５１】
図５は、本発明の実施の形態における撮像装置１００を用いて撮影を行う場合を示す上面図である。図５には、図４に示す液晶パネル３００に表示されている地図に対応する地域で撮像装置１００を用いた撮影が行われた場合を模式的に示す。ここで、図５に示す範囲３３０は、図４に示す液晶パネル３００に表示されている地図の範囲に対応する範囲であり、点線の矩形で示す。例えば、位置情報付与禁止領域３２１乃至３２３内の位置３３１乃至３３３で撮像装置１００を用いた撮影が行われた場合には、撮影場所に応じた位置情報が撮像画像の画像ファイルに記録されない。一方、例えば、公園３１４のように、位置情報付与禁止領域３２１乃至３２３以外の位置３３４で撮像装置１００を用いた撮影が行われた場合には、撮影場所に応じた位置情報が撮像画像の画像ファイルに記録される。この画像ファイルへの位置情報の記録については、図６および図７を参照して詳細に説明する。
【００５２】
図６は、本発明の実施の形態における撮像装置１００を用いて記録される画像ファイルのファイル構造の一例を示す図である。図６に示す例では、ＤＣＦ（Design rule for Camera File system）規格により記録される静止画ファイルのファイル構造を概略的に示す。ＤＣＦは、デジタルスチルカメラやプリンタ等の機器間で、記録媒体を介して画像の相互利用を実現するためのファイルシステム規格であり、Ｅｘｉｆ（Exchangeable image file format）をベースにして記録媒体に記録する場合におけるファイル名の付け方やフォルダの構成が規定されている。このＥｘｉｆは、画像ファイルの中に画像データおよびカメラ情報を付加するための規格であり、画像ファイルを記録するための形式（ファイルフォーマット）を規定するものである。
【００５３】
静止画ファイル３５０は、ＤＣＦ規格により記録される静止画ファイルであり、図６（ａ）に示すように、付属情報３６０および画像情報３７０から構成されている。画像情報３７０は、例えば、撮像部２５０により生成された画像データである。
【００５４】
付属情報３６０は、図６（ｂ）に示すように、属性情報３６１およびメーカーノート（maker note）３６２から構成されている。属性情報３６１は、静止画ファイル３５０に関する属性情報等であり、例えば、緯度、経度および高度等の位置情報（ＧＰＳ情報）、撮影更新日時、画サイズ、色空間情報、メーカー名等が含まれる。なお、本発明の実施の形態では、属性情報３６１に位置情報を記録する例を示す。
【００５５】
メーカーノート３６２は、一般的にユーザ独自のデータが記録される領域であり、各メーカーが自由に情報を記録することができる拡張領域である（ＴＡＧＩＤ＝３７５００、MakerNote）。なお、メーカーノート３６２に位置情報を記録することもできる。
【００５６】
図７は、本発明の実施の形態における撮像装置１００を用いて記録される画像ファイルを模式的に示す図である。図７には、位置情報付与禁止領域以外の場所で撮影が行われた場合における画像ファイル３８０を示す。このように、位置情報付与禁止領域以外の場所で撮影が行われた場合には、撮像部２５０により生成された撮像画像が画像情報３８２に記録されるとともに、位置情報取得部２２０により取得された位置情報が付属情報３８１に記録される。一方、位置情報付与禁止領域内の場所で撮影が行われた場合には、撮像部２５０により生成された撮像画像が画像情報３８２に記録されるが、位置情報取得部２２０により取得された位置情報が付属情報３８１に記録されない。なお、図７に示す例では、緯度および経度を位置情報として画像ファイルに記録する場合を例にして示すが、住所、地名、地域名称等の他の位置情報を画像ファイルに記録するようにしてもよい。
【００５７】
次に、本発明の実施の形態における撮像装置１００の動作について図面を参照して説明する。
【００５８】
図８は、本発明の実施の形態における撮像装置１００による位置情報付与禁止領域設定処理の処理手順を示すフローチャートである。
【００５９】
最初に、位置情報付与禁止領域設定画面を表示させる指示操作が、液晶パネル３００において行われたか否かが判断される（ステップＳ９０１）。位置情報付与禁止領域設定画面を表示させる指示操作が行われない場合には（ステップＳ９０１）、位置情報付与禁止領域設定処理の動作を終了する。一方、位置情報付与禁止領域設定画面を表示させる操作入力が行われた場合には（ステップＳ９０１）、位置情報付与禁止領域を設定すべき地域を指定する指定操作が、液晶パネル３００において行われたか否かが判断される（ステップＳ９０２）。
【００６０】
位置情報付与禁止領域を設定すべき地域を指定する指定操作が行われた場合には（ステップＳ９０２）、指定された地域の地図を含む位置情報付与禁止領域設定画面が液晶パネル３００に表示される（ステップＳ９０３）。位置情報付与禁止領域を設定すべき地域を指定する指定操作が行われない場合には（ステップＳ９０２）、指定操作が行われるまで監視する。
【００６１】
続いて、液晶パネル３００に表示されている位置情報付与禁止領域設定画面において新規追加操作が行われたか否かが判断される（ステップＳ９０４）。すなわち、位置情報付与禁止領域設定画面において「新規」ボタン３０１が押下され、位置情報付与禁止領域の指定操作が行われたか否かが判断される。位置情報付与禁止領域設定画面において新規追加操作が行われた場合には（ステップＳ９０４）、指定された位置情報付与禁止領域を新たな位置情報付与禁止領域として追加する位置情報付与禁止領域の新規追加処理が行われる（ステップＳ９０５）。
【００６２】
続いて、液晶パネル３００に表示されている位置情報付与禁止領域設定画面において削除操作が行われたか否かが判断される（ステップＳ９０６）。すなわち、位置情報付与禁止領域設定画面において「削除」ボタン３０２が押下され、削除の対象となる位置情報付与禁止領域の指定操作が行われたか否かが判断される。位置情報付与禁止領域設定画面において削除操作が行われた場合には（ステップＳ９０６）、指定された位置情報付与禁止領域を削除する位置情報付与禁止領域の削除処理が行われる（ステップＳ９０７）。
【００６３】
続いて、液晶パネル３００に表示されている位置情報付与禁止領域設定画面において確定操作が行われたか否かが判断される（ステップＳ９０８）。すなわち、位置情報付与禁止領域設定画面において「確定」ボタン３０３が押下されたか否かが判断される。位置情報付与禁止領域設定画面において確定操作が行われない場合には（ステップＳ９０８）、ステップＳ９０４に戻り、位置情報付与禁止領域の新規追加処理および削除処理を繰り返す（ステップＳ９０４乃至Ｓ９０７）。位置情報付与禁止領域設定画面において確定操作が行われた場合には（ステップＳ９０８）、位置情報付与禁止領域設定処理の動作を終了する。
【００６４】
図９は、本発明の実施の形態における撮像装置１００による撮像画像記録処理の処理手順を示すフローチャートである。
【００６５】
最初に、撮像部２５０が撮像画像を生成する（ステップＳ９１１）。続いて、位置情報取得部２２０が位置情報を取得する（ステップＳ９１２）。続いて、シャッター操作受付部２６０によりシャッター操作が受け付けられたか否かが判断される（ステップＳ９１３）。シャッター操作が受け付けられていない場合は（ステップＳ９１３）、ステップＳ９１１に戻る。一方、シャッター操作が受け付けられた場合には（ステップＳ９１３）、位置情報取得部２２０による位置情報の取得が成功したか否かが判断される（ステップＳ９１４）。位置情報の取得に失敗したと判断された場合には（ステップＳ９１４）、位置情報付与判定部２４０が、撮像画像に位置情報を関連付けずに記録すると判定する（ステップＳ９１８）。そして、記録制御部２７０が、位置情報を関連付けずに撮像画像の画像ファイルを生成する（ステップＳ９１９）。一方、位置情報の取得に成功したと判断された場合には（ステップＳ９１４）、位置情報付与禁止領域判定部２３０が、取得された位置情報により特定される位置（現在位置）が、位置情報付与禁止領域記憶部２１０に記憶されている何れかの位置情報付与禁止領域に含まれるか否かを判断する（ステップＳ９１５）。現在位置が何れかの位置情報付与禁止領域に含まれる場合には（ステップＳ９１５）、ステップＳ９１８に進む。一方、現在位置が何れの位置情報付与禁止領域にも含まれない場合には（ステップＳ９１５）、位置情報付与判定部２４０が、撮像画像に位置情報を関連付けて記録すると判定する（ステップＳ９１６）。そして、記録制御部２７０が、取得された位置情報を関連付けた撮像画像の画像ファイルを生成する（ステップＳ９１９）。続いて、記録制御部２７０が、生成された画像ファイルを画像記憶部２８０に記録する（ステップＳ９２０）。
【００６６】
以上では、位置情報付与禁止領域を設定する場合には、液晶パネル３００に地図を表示させ、この地図上でユーザが手動で円状の位置情報付与禁止領域を指定する例について説明した。しかしながら、例えば、国単位、都道府県単位、市町村単位等の地域単位で位置情報付与禁止領域を設定するようにしてもよい。例えば、自分が住んでいる国では、日常生活での自分の撮影行動を位置情報として記録したくないと考えるユーザが想定される。このユーザが、例えば、外国に行った場合には、旅行等で行くことが予想されるため、これらの旅行の履歴情報として位置情報を記録したいと考える場合が想定される。このような場合には、地域単位で位置情報付与禁止領域を指定することにより設定操作を容易にすることができる。そこで、以下では、都道府県や国等の単位で、位置情報付与禁止領域を指定する設定方法について図面を参照して詳細に説明する。
【００６７】
図１０は、本発明の実施の形態における液晶パネル３００において位置情報付与禁止領域を設定する設定方法の概略を示す図である。図１０（ａ）には、液晶パネル３００において都道府県単位で位置情報付与禁止領域を設定する場合における表示例を示し、図１０（ｂ）には、液晶パネル３００において国単位で位置情報付与禁止領域を設定する場合における表示例を示す。
【００６８】
例えば、図１０（ａ）に示すように、液晶パネル３００において都道府県単位で位置情報付与禁止領域を設定する場合には、所望の都道府県を選択するための都道府県選択ボタン４０１乃至４０４が表示される。なお、図１０（ａ）に示す表示例では、東京都等の４都県についてのみ示すが、例えば、上下スクロールボタン４０５および４０６を押下することにより、他の道府県選択ボタンを表示させることができる。そして、１または複数の都道府県選択ボタンが選択された後に、「確定」ボタン４０７を押下することにより、位置情報付与禁止領域を設定することができる。なお、「戻る」ボタン４０８が押下されると、直前に表示されていた他の画面が表示される。
【００６９】
また、図１０（ｂ）に示す位置情報付与禁止領域設定画面は、図１０（ａ）に示す位置情報付与禁止領域設定画面において、都道府県選択ボタン４０１乃至４０４の代わりに、国選択ボタン４１１乃至４１４を表示する例である。なお、図１０（ａ）に示す位置情報付与禁止領域設定画面と同様に、図１０（ｂ）では、日本等の４国についてのみ示すが、例えば、上下スクロールボタン４０５および４０６を押下することにより、他の国選択ボタンを表示させることができる。
【００７０】
図１１は、本発明の実施の形態における位置情報付与禁止領域記憶部４２０および４３０に記憶されている内容を概略的に示す図である。位置情報付与禁止領域記憶部４２０および４３０は、図４に示す位置情報付与禁止領域記憶部２１０の変形例であり、位置情報付与禁止領域４２２および４３２に、都道府県または国の領域を特定する緯度、経度等の領域情報を格納するものである。すなわち、図１１（ａ）では、図１０（ａ）に示す位置情報付与禁止領域設定画面において、位置情報付与禁止領域を都道府県単位で設定する場合に用いられる位置情報付与禁止領域記憶部４２０を示す。また、図１１（ｂ）では、図１０（ｂ）に示す位置情報付与禁止領域設定画面において、位置情報付与禁止領域を国単位で設定する場合に用いられる位置情報付与禁止領域記憶部４３０を示す。なお、図１１では、位置情報付与禁止領域４２２および４３２に格納される領域情報を省略し、この領域情報の代わりに都道府県名または国名を示す。
【００７１】
なお、この例では、国、都道府県ボタンを押下する例について説明したが、例えば、国単位や都道府県単位等の地図を表示させ、所望の地域を押下することにより、国や都道府県単位の指定を行うようにしてもよい。
【００７２】
以上では、撮像装置１００の現在位置が位置情報付与禁止領域に含まれるか否かに応じて、位置情報を付与するか否かを判断する例について説明した。しかしながら、撮像装置の現在位置が位置情報付与禁止領域に含まれる場合でも、例えば、他人に渡す可能性がなく、Ｗｅｂサイトにアップロードする可能性がない撮像画像を記録する場合には、位置情報を付与してもよいと考えられる。そこで、以下では、撮像装置の現在位置が位置情報付与禁止領域に含まれる場合において、一定の条件に基づいて位置情報を付与するか否かを判断する例について説明する。
【００７３】
図１２は、本発明の実施の形態における撮像装置５００の機能構成例を示すブロック図である。ここで、撮像装置５００は、図２に示す撮像装置１００の一部を変形したものであり、位置情報付与判定部２４０および記録制御部２７０の代わりに、位置情報付与判定部５３０および記録制御部５４０を設けるとともに、位置情報付与条件記憶部５１０および記録パラメータ設定操作受付部５２０を追加した撮像装置である。このため、図２に示す撮像装置１００と同様の構成についての詳細な説明は省略する。また、他の構成についても、以下では、図２に示す撮像装置１００と異なる点を中心に説明する。なお、撮像装置５００の内部構成については、図１に示すものと同一であるため、ここでの説明を省略する。
【００７４】
位置情報付与条件記憶部５１０は、ユーザにより設定可能な記録パラメータに応じた位置情報付与条件を記憶するものであり、記憶されている位置情報付与条件を位置情報付与判定部５３０に供給する。なお、位置情報付与条件記憶部５１０は、図１に示すＲＡＭ１３０に対応する。また、位置情報付与条件記憶部５１０に記憶されている内容については、図１３を参照して詳細に説明する。
【００７５】
記録パラメータ設定操作受付部５２０は、画像ファイルの記録パラメータを設定する設定操作を受け付ける操作受付部であり、受け付けられた設定操作の内容を記録制御部５４０に出力する。例えば、記録パラメータとして、ＪＰＥＧ、ＧＩＦ（Graphic Interchange Format）等の記録フォーマットや画像サイズ等が設定される。なお、記録パラメータ設定操作受付部５２０は、図１に示す操作受付部１５０に対応する。
【００７６】
位置情報付与判定部５３０は、位置情報付与禁止領域判定部２３０から出力された判定結果と、記録制御部５４０から出力された記録パラメータとに基づいて、撮像部２５０により生成される撮像画像に、位置情報取得部２２０から出力された位置情報を関連付けて記録するか否かを判定するものである。そして、判定結果を記録制御部５４０に順次出力する。具体的には、位置情報取得部２２０から出力された位置情報により特定される位置（現在位置）が、位置情報付与禁止領域記憶部２１０に記憶されている位置情報付与禁止領域の何れの領域にも含まれない場合には、記録パラメータの内容にかかわらず、位置情報を関連付けて撮像画像を記録すると判定される。一方、現在位置が位置情報付与禁止領域の何れかの領域に含まれる場合には、記録パラメータの内容に応じて、撮像画像に位置情報を関連付けて記録するか否かが判定される。なお、現在位置が位置情報付与禁止領域の何れかの領域に含まれる場合における判定については、図１３を参照して詳細に説明する。なお、位置情報付与判定部５３０は、図１に示すＣＰＵ１１０に対応する。
【００７７】
記録制御部５４０は、記録パラメータ設定操作受付部５２０から出力された設定操作の内容に対応する記録パラメータに従って、シャッター操作受付部２６０から記録指示が出力された際に撮像部２５０から出力された撮像画像の画像ファイルを生成するものである。そして、この画像ファイルを画像記憶部２８０に記録する制御を行う。また、記録制御部５４０は、記録パラメータ設定操作受付部５２０から出力された設定操作の内容に対応する記録パラメータを位置情報付与判定部５３０に出力する。また、記録制御部５４０は、画像ファイルを生成する際に、位置情報付与判定部５３０から出力された判定結果に基づいて、位置情報取得部２２０から出力された位置情報を画像ファイルに記録するか否かの制御を行う。なお、記録制御部５４０は、図１に示すＣＰＵ１１０に対応する。
【００７８】
図１３は、本発明の実施の形態における位置情報付与条件記憶部５１０に記憶されている内容を概略的に示す図である。位置情報付与条件記憶部５１０には、管理番号５１１と、記録パラメータ５１２と、位置情報付与禁止領域内での位置情報付与５１６とが格納されている。
【００７９】
管理番号５１１は、ユーザにより設定された記録パラメータに応じた位置情報付与条件を識別する識別番号であり、例えば、位置情報付与条件毎に管理番号１乃至６が格納される。
【００８０】
記録パラメータ５１２は、ユーザにより設定される記録パラメータであり、フォーマット５１３、画像サイズ５１４、カラー／モノクロ５１５の記録パラメータに応じて位置情報付与条件が設定されている。フォーマット５１３は、ユーザにより設定可能な画像ファイルの記録方式である。図１３では、設定可能な画像ファイルの記録方式として、「ＪＰＥＧ」、「ＲＡＷ」、「ＧＩＦ」が設定可能である場合を例にして示す。画像サイズ５１４は、ユーザにより設定可能な画像サイズである。カラー／モノクロ５１５は、ユーザに設定可能な「カラー」または「モノクロ」である。なお、記録パラメータ５１２の「−」は、全てのパラメータがマッチするものとする。
【００８１】
位置情報付与禁止領域内での位置情報付与５１６は、管理番号５１１の「１」乃至「６」の何れかの位置情報付与条件に一致した際に、位置情報を付与するか否かを示す情報である。この情報を、図１３に示す例では「する」または「しない」で示す。
【００８２】
ここで、記録パラメータ５１２と、位置情報付与禁止領域内での位置情報付与５１６との関係について説明する。例えば、ＪＰＥＧ形式の画像ファイルをＷｅｂサイトにアップロードする場合には、最大画像サイズが規定されていることが多い。このため、画像サイズが比較的小さい画像ファイルについては、Ｗｅｂサイトにアップロードされる可能性がある。そこで、図１３に示す例では、フォーマット５１３が「ＪＰＥＧ」で、画像サイズ５１４が「８００×６００未満」である画像ファイルについては、位置情報付与禁止領域内での位置情報付与５１６が「しない」とされる。一方、画像サイズが比較的大きい画像ファイルについては、Ｗｅｂサイトにアップロードされず、個人的に利用される可能性が高い。そこで、フォーマット５１３が「ＪＰＥＧ」で、画像サイズ５１４が「８００×６００以上」である画像ファイルについては、位置情報付与禁止領域内での位置情報付与５１６が「する」とされる。
【００８３】
また、例えば、ＲＡＷ形式の画像ファイルについても、Ｗｅｂサイトにアップロードされず、個人的に利用される可能性が高い。そこで、フォーマット５１３が「ＲＡＷ」である画像ファイルについては、位置情報付与禁止領域内での位置情報付与５１６が「する」とされる。
【００８４】
また、例えば、ＧＩＦ形式の画像ファイルがカラーで記録される場合には、Ｗｅｂサイトにアップロードされる可能性がある。そこで、図１３に示す例では、フォーマット５１３が「ＧＩＦ」で、カラー／モノクロ５１５が「カラー」である画像ファイルについては、位置情報付与禁止領域内での位置情報付与５１６が「しない」とされる。一方、ＧＩＦ形式の画像ファイルがモノクロで記録される場合には、Ｗｅｂサイトにアップロードされるよりも、個人的に利用される可能性が高い。そこで、フォーマット５１３が「ＧＩＦ」で、カラー／モノクロ５１５が「モノクロ」である画像ファイルについては、位置情報付与禁止領域内での位置情報付与５１６が「する」とされる。
【００８５】
また、管理番号５１１の「１」乃至「５」の何れかの位置情報付与条件にも一致しない画像ファイルの場合には、Ｗｅｂサイトにアップロードされる可能性が考えられる。そこで、管理番号５１１の「６」の位置情報付与禁止領域内での位置情報付与５１６が「する」とされる。
【００８６】
なお、図１３に示す位置情報付与条件は一例であり、ユーザの使用状態やＷｅｂサイトにアップロードされる可能性等に応じて、ユーザ設定により随時変更するようにしてもよい。また、他の記録パラメータを用いて位置情報付与条件を設定するようにしてもよい。また、記録パラメータ以外の他の要素を用いて位置情報付与条件を設定するようにしてもよい。他の要素として、例えば、現在の時間帯が、昼の時間帯であるか、夜の時間帯であるかに応じて、位置情報付与条件を設定するようにしてもよい。
【００８７】
次に、本発明の実施の形態における撮像装置５００の動作について図面を参照して説明する。
【００８８】
図１４は、本発明の実施の形態における撮像装置５００による撮像画像記録処理の処理手順を示すフローチャートである。この処理手順は、図９に示す処理手順の変形例であり、図１４に示すステップＳ９１１乃至Ｓ９１５、Ｓ９１６乃至Ｓ９２０については、図９に示すＳ９１１乃至Ｓ９１５、Ｓ９１６乃至Ｓ９２０と同一の処理手順であるため、ここでの説明を省略する。
【００８９】
現在位置が位置情報付与禁止領域記憶部２１０に記憶されている何れかの位置情報付与禁止領域に含まれる場合には（ステップＳ９１５）、位置情報付与判定部５３０が、記録制御部５４０に設定されている記録パラメータ（現在の記録パラメータ）がＪＰＥＧ形式であるか否かを判断する（ステップＳ９３１）。現在の記録パラメータが、ＪＰＥＧ形式である場合には（ステップＳ９３１）、位置情報付与判定部５３０が、ＪＰＥＧ形式で記録される画像サイズが、８００画素×６００画素未満であるか否かを判断する（ステップＳ９３２）。ＪＰＥＧ形式で記録される画像サイズが、８００画素×６００画素未満である場合には（ステップＳ９３２）、ステップＳ９１８に進み、８００画素×６００画素以上である場合には（ステップＳ９３２）、ステップＳ９１６に進む。
【００９０】
現在の記録パラメータがＪＰＥＧ形式でない場合には（ステップＳ９３１）、位置情報付与判定部５３０が、現在の記録パラメータがＲＡＷ形式であるか否かを判断する（ステップＳ９３３）。現在の記録パラメータがＲＡＷ形式である場合には（ステップＳ９３３）、ステップＳ９１６に進む。一方、現在の記録パラメータがＲＡＷ形式でない場合には（ステップＳ９３３）、位置情報付与判定部５３０が、現在の記録パラメータがＧＩＦ形式であるか否かを判断する（ステップＳ９３４）。現在の記録パラメータがＧＩＦ形式でない場合には（ステップＳ９３４）、ステップＳ９１８に進む。一方、現在の記録パラメータがＧＩＦ形式である場合には（ステップＳ９３４）、位置情報付与判定部５３０が、現在の記録パラメータがモノクロであるか否を判断する（ステップＳ９３５）。現在の記録パラメータがモノクロである場合には（ステップＳ９３５）、ステップＳ９１６に進み、現在の記録パラメータがモノクロでない場合には（ステップＳ９３５）、ステップＳ９１８に進む。
【００９１】
以上では、１度のシャッター操作によって、１枚の画像ファイルを記録する例について説明した。ここで、近年では、１度のシャッター操作によって、２枚以上の画像ファイルを記録する撮像装置が普及している。この撮像装置を用いて撮影が行われた場合には、同時刻に生成された撮像画像について異なる記録パラメータを用いた複数の画像ファイルが記録される。例えば、撮像装置の表示用画像としてＶＧＡ画像の画像ファイルが記録されるとともに、ユーザにより指定された画像サイズのＪＰＥＧ形式の画像ファイルが記録される。このように、異なる記録パラメータを用いて２つの画像ファイルが記録される場合に、例えば、１つの画像ファイルは撮像装置の管理用にのみ用いられ、Ｗｅｂサイトにアップロードされる可能性がない場合がある。また、他の画像ファイルはＷｅｂサイトにアップロードされる可能性が高い場合もある。このように、同時刻に生成された撮像画像について記録された複数の画像ファイルでも、それぞれの使用の目的が異なることが考えられる。そこで、以下では、同時刻に生成された撮像画像について複数の画像ファイルが記録される場合について図面を参照して詳細に説明する。
【００９２】
図１５は、本発明の実施の形態における撮像装置６００の機能構成例を示すブロック図である。ここで、撮像装置６００は、図１２に示す撮像装置５００の一部を変形したものであり、位置情報付与条件記憶部５１０、記録パラメータ設定操作受付部５２０、位置情報付与判定部５３０および記録制御部５４０の代わりに、位置情報付与条件記憶部６２０、記録パラメータ組合せ設定操作受付部６３０、位置情報付与判定部６４０および記録制御部６５０を設けるとともに、記録パラメータ組合せ情報記憶部６１０を追加した撮像装置である。このため、図１２に示す撮像装置５００と同様の構成についての詳細な説明は省略する。また、他の構成についても、以下では、図１２に示す撮像装置５００と異なる点を中心に説明する。なお、撮像装置６００の内部構成については、図１に示すものと同一であるため、ここでの説明を省略する。
【００９３】
記録パラメータ組合せ情報記憶部６１０は、同時刻に生成された撮像画像について複数の画像ファイルを記録する際に用いられる記録パラメータの組合せを記憶するものであり、記憶されている記録パラメータの組合せを記録制御部６５０に供給する。なお、記録パラメータ組合せ情報記憶部６１０は、図１に示すＲＡＭ１３０に対応する。また、記録パラメータ組合せ情報記憶部６１０に記憶されている内容については、図１６（ａ）を参照して詳細に説明する。また、記録パラメータ組合せ情報記憶部６１０は、特許請求の範囲に記載の記録パラメータ記憶部の一例である。
【００９４】
位置情報付与条件記憶部６２０は、ユーザにより設定可能な記録パラメータに応じた位置情報付与条件を記憶するものであり、記憶されている位置情報付与条件を位置情報付与判定部６４０に供給する。なお、位置情報付与条件記憶部６２０は、図１に示すＲＡＭ１３０に対応する。また、位置情報付与条件記憶部６２０に記憶されている内容については、図１６（ｂ）を参照して詳細に説明する。
【００９５】
記録パラメータ組合せ設定操作受付部６３０は、画像ファイルの記録パラメータの組合せを設定する設定操作を受け付ける操作受付部であり、受け付けられた設定操作の内容を記録制御部６５０に出力する。なお、記録パラメータの組合せは、記録パラメータ組合せ情報記憶部６１０に記憶されている記録パラメータの組合せの中から選択される。また、記録パラメータ組合せ設定操作受付部６３０は、図１に示す操作受付部１５０に対応する。
【００９６】
位置情報付与判定部６４０は、位置情報付与禁止領域判定部２３０から出力された判定結果と、記録制御部６５０から出力された複数の記録パラメータとに基づいて、撮像部２５０により生成される撮像画像に、位置情報取得部２２０から出力された位置情報を関連付けて記録するか否かを判定するものである。そして、判定結果を記録制御部６５０に順次出力する。具体的には、位置情報取得部２２０から出力された位置情報により特定される位置（現在位置）が、位置情報付与禁止領域記憶部２１０に記憶されている位置情報付与禁止領域の何れの領域にも含まれない場合には、記録パラメータの内容にかかわらず、位置情報を関連付けて撮像画像を記録すると判定される。一方、現在位置が位置情報付与禁止領域の何れかの領域に含まれる場合には、複数の記録パラメータの内容に応じて、撮像画像に位置情報を関連付けて記録するか否かが記録パラメータ毎に判定される。なお、現在位置が位置情報付与禁止領域の何れかの領域に含まれる場合における判定については、図１６を参照して詳細に説明する。なお、位置情報付与判定部６４０は、図１に示すＣＰＵ１１０に対応する。
【００９７】
記録制御部６５０は、記録パラメータ組合せ設定操作受付部６３０から出力された設定操作の内容に対応する記録パラメータの組合せに従って、シャッター操作受付部２６０から記録指示が出力された際に撮像部２５０から出力された撮像画像の画像ファイルを生成するものである。すなわち、記録パラメータの組合せに応じた複数の画像ファイルが生成され、これらの画像ファイルが画像記憶部２８０に順次記録される。また、記録制御部６５０は、記録パラメータ組合せ設定操作受付部６３０から出力された設定操作の内容に対応する記録パラメータの組合せを位置情報付与判定部６４０に出力する。また、記録制御部６５０は、画像ファイルを生成する際に、位置情報付与判定部６４０から出力された判定結果に基づいて、位置情報取得部２２０から出力された位置情報を画像ファイルに記録するか否かの制御を画像ファイル毎に行う。なお、記録制御部６５０は、図１に示すＣＰＵ１１０に対応する。
【００９８】
図１６は、本発明の実施の形態における記録パラメータ組合せ情報記憶部６１０および位置情報付与条件記憶部６２０に記憶されている内容を概略的に示す図である。図１６（ａ）に示す記録パラメータ組合せ情報記憶部６１０には、管理番号６１１と、１枚目記録パラメータ６１２と、２枚目記録パラメータ６１３とが格納されている。ここで、図１６（ａ）に示す例では、１度のシャッター操作によって、同時刻に生成された撮像画像について異なる記録パラメータを用いて２枚の画像ファイルを記録する場合を例にして説明する。また、２枚の画像ファイルを記録する際における２つの記録パラメータの組合せが、記録パラメータ組合せ情報記憶部６１０に格納され、この記録パラメータの組合せの中から、所望の記録パラメータの組合せをユーザが設定する。
【００９９】
管理番号６１１は、ユーザにより設定可能な記録パラメータの組合せを識別する識別番号であり、例えば、記録パラメータの組合せ毎に管理番号１、２、３…が格納される。
【０１００】
１枚目記録パラメータ６１２は、ユーザにより設定可能な記録パラメータの組合せに係る１枚目の記録パラメータであり、２枚目記録パラメータ６１３は、ユーザにより設定可能な記録パラメータの組合せに係る２枚目の記録パラメータである。ユーザにより設定可能な記録パラメータの組合せとして、例えば、「ＲＡＷ」および「ＪＰＥＧ」の組合せ、「指定画素数」および「ＶＧＡ」の組合せが記憶される。
【０１０１】
図１６（ｂ）に示す位置情報付与条件記憶部６２０には、管理番号６２１と、記録パラメータ６２２と、位置情報付与禁止領域内での位置情報付与６２３とが格納されている。
【０１０２】
管理番号６２１は、ユーザにより設定可能な記録パラメータに応じた位置情報付与条件を識別する識別番号であり、例えば、位置情報付与条件毎に管理番号１、２、３…が格納される。
【０１０３】
記録パラメータ６２２は、ユーザにより設定可能な記録パラメータの組合せに係る各記録パラメータであり、これらの記録パラメータが位置情報付与条件として用いられる。
【０１０４】
位置情報付与禁止領域内での位置情報付与６２３は、記録パラメータ６２２の何れかの記録パラメータに一致した際に、位置情報を付与するか否かを示す情報である。この情報を、図１６（ｂ）に示す例では「する」または「しない」で示す。
【０１０５】
なお、図１６に示す記録パラメータの組合せおよび位置情報付与条件は一例であり、ユーザの使用状態やＷｅｂサイトにアップロードされる可能性等に応じて、ユーザ設定により随時変更するようにしてもよい。また、他の記録パラメータを用いて位置情報付与条件を設定するようにしてもよい。
【０１０６】
次に、本発明の実施の形態における撮像装置６００の動作について図面を参照して説明する。
【０１０７】
図１７および図１８は、本発明の実施の形態における撮像装置６００による撮像画像記録処理の処理手順を示すフローチャートである。この処理手順は、図９に示す処理手順の変形例であり、図１７に示すステップＳ９１１乃至Ｓ９１５については、図９に示すＳ９１１乃至Ｓ９１５と同一の処理手順であるため、ここでの説明を省略する。また、この例では、同時刻に生成された撮像画像について、２つの記録パラメータに従って２枚の画像ファイルを記録する例について説明する。
【０１０８】
位置情報取得部２２０による位置情報の取得に失敗したと判断された場合には（ステップＳ９１４）、位置情報付与判定部６４０が、撮像画像に位置情報を関連付けずに２枚の画像ファイルを記録すると判定する（ステップＳ９４１）。そして、記録制御部６５０が、取得された位置情報を関連付けずに撮像画像の画像ファイルを１枚目の記録パラメータに従って生成する（ステップＳ９４２）。続いて、記録制御部６５０が、取得された位置情報を関連付けずに撮像画像の画像ファイルを２枚目の記録パラメータに従って生成する（ステップＳ９４３）。続いて、記録制御部２７０が、生成された２つの画像ファイルを画像記憶部２８０に記録する（ステップＳ９４７）。
【０１０９】
また、現在位置が位置情報付与禁止領域記憶部２１０に記憶されている何れかの位置情報付与禁止領域に含まれない場合には（ステップＳ９１５）、位置情報付与判定部６４０が、撮像画像に位置情報を関連付けて２枚の画像ファイルを記録すると判定する（ステップＳ９４４）。そして、記録制御部６５０が、取得された位置情報を関連付けた撮像画像の画像ファイルを１枚目の記録パラメータに従って生成する（ステップＳ９４５）。続いて、記録制御部６５０が、取得された位置情報を関連付けた撮像画像の画像ファイルを２枚目の記録パラメータに従って生成する（ステップＳ９４６）。
【０１１０】
また、現在位置が何れかの位置情報付与禁止領域に含まれる場合には（ステップＳ９１５）、位置情報付与判定部６４０が、位置情報付与禁止領域内での位置情報付与６２３において１枚目の記録パラメータが「する」に対応するか否かを判断する（ステップＳ９４８）。１枚目の記録パラメータが「する」に対応する場合には（ステップＳ９４８）、位置情報付与判定部６４０が、撮像画像に位置情報を関連付けて１枚目の画像ファイルを記録すると判定する（ステップＳ９４９）。続いて、記録制御部６５０が、取得された位置情報を関連付けた撮像画像の画像ファイルを１枚目の記録パラメータに従って生成する（ステップＳ９５０）。一方、１枚目の記録パラメータが「しない」に対応する場合には（ステップＳ９４８）、位置情報付与判定部６４０が、撮像画像に位置情報を関連付けずに１枚目の画像ファイルを記録すると判定する（ステップＳ９５１）。続いて、記録制御部６５０が、取得された位置情報を関連付けずに撮像画像の画像ファイルを１枚目の記録パラメータに従って生成する（ステップＳ９５２）。
【０１１１】
続いて、位置情報付与判定部６４０が、位置情報付与禁止領域内での位置情報付与６２３において２枚目の記録パラメータが「する」に対応するか否かを判断する（ステップＳ９５３）。２枚目の記録パラメータが「する」に対応する場合には（ステップＳ９５３）、位置情報付与判定部６４０が、撮像画像に位置情報を関連付けて２枚目の画像ファイルを記録すると判定する（ステップＳ９５４）。続いて、記録制御部６５０が、取得された位置情報を関連付けた撮像画像の画像ファイルを２枚目の記録パラメータに従って生成する（ステップＳ９５５）。一方、２枚目の記録パラメータが「しない」に対応する場合には（ステップＳ９５３）、位置情報付与判定部６４０が、撮像画像に位置情報を関連付けずに２枚目の画像ファイルを記録すると判定する（ステップＳ９５６）。続いて、記録制御部６５０が、取得された位置情報を関連付けずに撮像画像の画像ファイルを２枚目の記録パラメータに従って生成する（ステップＳ９５７）。
【０１１２】
このように、同時刻に生成された撮像画像について異なる記録パラメータを用いて複数の画像ファイルを記録する場合に、それぞれの記録条件に応じた位置情報付与判定を行うことができる。これにより、例えば、個人向けの画像ファイルや、他人への公開向けの画像ファイルを同時に記録する場合に、使用目的に応じた位置情報付与判定を画像ファイル毎に行うことができる。なお、撮像装置６００の内部でのみ使用されるデータベースや画像ファイルを管理するためのコンテンツ管理ファイル等は、他人に公開等がされるおそれが少ないため、画像ファイルへの記録の有無にかかわらず位置情報を記録することが好ましい。
【０１１３】
以上で示したように、本発明の実施の形態によれば、例えば、ユーザの自宅の位置等のように他人に公開したくない位置情報を誤って公開してしまうことを防止することができる。また、このように公開したくない位置情報の記録の要否を判定するための位置情報付与禁止領域を容易に指定することができる。
【０１１４】
ここで、例えば、他人に撮像画像を公開する場合には、一般に画像サイズが比較的小さい撮像画像が利用されることが多い。また、ＲＡＷ画像はユーザにより個人的に利用されることが多い。そこで、現在位置が位置情報付与禁止領域に含まれている場合でも、画像サイズや記録形式等に応じた判定を行うことにより、画像サイズや記録形式等に応じた位置情報の記録制御を行う。例えば、オリジナル画像や一定の画像サイズ以上の画像ファイルには位置情報を記録するが、メール送信やＷｅｂサイトへのアップロードに適する画像ファイルには位置情報を記録しないようにする。これにより、個人で利用する画像ファイルには位置情報が記録されるが、他人に公開されるおそれがある画像ファイルには位置情報が記録されないようにすることができる。すなわち、画像ファイルを利用する際に個人情報に関する位置情報が他人に知られることを防止することができる。
【０１１５】
なお、本発明の実施の形態では、ＧＰＳ信号に基づいて位置情報を算出する例について説明するが、他の位置情報取得方法により位置情報を取得するようにしてもよい。例えば、周囲に存在する無線ＬＡＮ（Local Area Network）によるアクセスポイント情報を用いて位置情報を導き出し、この位置情報を用いるようにしてもよい。
【０１１６】
また、本発明の実施の形態では、デジタルカメラ等の撮像装置を例にして説明したが、カムコーダ（camcorder：camera and recorder）、撮像部を備える携帯電話機、ＰＣ（Personal Computer：パーソナルコンピュータ）等のカメラ機能を有する機器等の撮像装置に本発明の実施の形態を適用することができる。
【０１１７】
また、本発明の実施の形態では、コンテンツとして静止画を記録する撮像装置を例にして説明したが、動画や音声等のコンテンツを生成して記録する情報記録装置に本発明の実施の形態を適用することができる。動画に位置情報を記録する場合には、例えば、ストリーム毎に位置情報を記録することができる。また、ＧＯＰ（Group Of Picture）毎に位置情報を記録するようにしてもよく、ストリーム中の一定間隔毎に位置情報を記録するようにしてもよい。この場合に、情報記録装置の移動に応じて、位置情報付与禁止領域判定および位置情報付与判定が順次行われ、これらの判定結果に基づいて、位置情報の記録制御が順次行われる。
【０１１８】
また、本発明の実施の形態では、位置情報を記録しない領域を付与位置情報付与禁止領域として指定する例について説明したが、例えば、ユーザが位置情報を記録したい領域が比較的少ない場合には、位置情報を記録すべき領域を指定するようにしてもよい。この場合には、指定された位置情報を記録すべき領域以外の領域を付与位置情報付与禁止領域として考えることができる。
【０１１９】
なお、本発明の実施の形態は本発明を具現化するための一例を示したものであり、上述したように特許請求の範囲における発明特定事項とそれぞれ対応関係を有するが、これに限定されるものではなく本発明の要旨を逸脱しない範囲において種々の変形を施すことができる。
【０１２０】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード（memory card）、ブルーレイディスク（Blu-ray Disc（登録商標））等の記録媒体を用いることができる。
【図面の簡単な説明】
【０１２１】
【図１】本発明の実施の形態における撮像装置１００の内部構成例を示すブロック図である。
【図２】本発明の実施の形態における撮像装置１００の機能構成例を示すブロック図である。
【図３】本発明の実施の形態における位置情報付与禁止領域記憶部２１０に記憶されている内容を概略的に示す図である。
【図４】本発明の実施の形態における液晶パネル３００において位置情報付与禁止領域を設定する設定方法の概略を示す図である。
【図５】本発明の実施の形態における撮像装置１００を用いて撮影を行う場合を示す上面図である。
【図６】本発明の実施の形態における撮像装置１００を用いて記録される画像ファイルのファイル構造の一例を示す図である。
【図７】本発明の実施の形態における撮像装置１００を用いて記録される画像ファイルを模式的に示す図である。
【図８】本発明の実施の形態における撮像装置１００による位置情報付与禁止領域設定処理の処理手順を示すフローチャートである。
【図９】本発明の実施の形態における撮像装置１００による撮像画像記録処理の処理手順を示すフローチャートである。
【図１０】本発明の実施の形態における液晶パネル３００において位置情報付与禁止領域を設定する設定方法の概略を示す図である。
【図１１】本発明の実施の形態における位置情報付与禁止領域記憶部４２０および４３０に記憶されている内容を概略的に示す図である。
【図１２】本発明の実施の形態における撮像装置５００の機能構成例を示すブロック図である。
【図１３】本発明の実施の形態における位置情報付与条件記憶部５１０に記憶されている内容を概略的に示す図である。
【図１４】本発明の実施の形態における撮像装置５００による撮像画像記録処理の処理手順を示すフローチャートである。
【図１５】本発明の実施の形態における撮像装置６００の機能構成例を示すブロック図である。
【図１６】本発明の実施の形態における記録パラメータ組合せ情報記憶部６１０および位置情報付与条件記憶部６２０に記憶されている内容を概略的に示す図である。
【図１７】本発明の実施の形態における撮像装置６００による撮像画像記録処理の処理手順を示すフローチャートである。
【図１８】本発明の実施の形態における撮像装置６００による撮像画像記録処理の処理手順を示すフローチャートである。
【符号の説明】
【０１２２】
１００、５００、６００  撮像装置
１１０  ＣＰＵ
１２０  ＲＯＭ
１３０  ＲＡＭ
１４０  カメラ部
１４１  光学系
１４２  撮像素子
１４３  Ａ／Ｄ変換部
１４４  信号処理部
１５０  操作受付部
１５１  シャッターボタン
１６０  表示部
１７０  記憶部
１８０  ＧＰＳ信号処理部
１９０  バス
２１０  位置情報付与禁止領域記憶部
２２０  位置情報取得部
２３０  位置情報付与禁止領域判定部
２４０、５３０、６４０  位置情報付与判定部
２５０  撮像部
２６０  シャッター操作受付部
２７０、５４０、６５０  記録制御部
２８０  画像記憶部
３００  液晶パネル
５１０、６２０  位置情報付与条件記憶部
５２０  記録パラメータ設定操作受付部
６１０  記録パラメータ組合せ情報記憶部
６３０  記録パラメータ組合せ設定操作受付部
【図１】
0004840403.tif 000002
【図２】
0004840403.tif 000003
【図３】
0004840403.tif 000004
【図４】
0004840403.tif 000005
【図５】
0004840403.tif 000006
【図６】
0004840403.tif 000007
【図７】
0004840403.tif 000008
【図８】
0004840403.tif 000009
【図９】
0004840403.tif 000010
【図１０】
0004840403.tif 000011
【図１１】
0004840403.tif 000012
【図１２】
0004840403.tif 000013
【図１３】
0004840403.tif 000014
【図１４】
0004840403.tif 000015
【図１５】
0004840403.tif 000016
【図１６】
0004840403.tif 000017
【図１７】
0004840403.tif 000018
【図１８】
0004840403.tif 000019